(57)【要約】【課題】顕微鏡に近垂直照明用光源を後付することができること。【解決手段】この発明は、ホルダ部材２０と、第１光源２１および第２光源２２と、を備える。ホルダ部材２０は、対物レンズ１７の視野を確保する開口部２３を有する。第１光源２１は、開口部２３の縁から対物レンズ１７に対して反対側の部分に配置されている。第２光源２２は、開口部２３の縁から対物レンズ１７側に突出して配置されている。この結果、この発明は、顕微鏡３に近垂直照明用光源としての第２光源２２を後付することができる。【選択図】        図１
2017167222.tif 000002
【特許請求の範囲】
【請求項１】
顕微鏡の対物レンズ側の部分に着脱可能に取り付けられるホルダ部材と、
前記ホルダ部材に設けられている近垂直照明用光源と、
を備え、
前記近垂直照明光源は、前記顕微鏡に取り付けられた前記ホルダ部材に対して前記顕微鏡の軸側に位置する、
ことを特徴とする顕微鏡用照明装置。
【請求項２】
前記ホルダ部材と前記近垂直照明用光源とは、相互に機械的にかつ電気的に着脱可能に構成されているコネクタを有する、
ことを特徴とする請求項１に記載の顕微鏡用照明装置。
【請求項３】
前記コネクタは、前記顕微鏡の前記軸に対して垂直もしくはほぼ垂直な板形状をなす、
ことを特徴とする請求項２に記載の顕微鏡用照明装置。
【請求項４】
板形状をなす前記コネクタの板面と前記近垂直照明用光源の光軸とは、前記コネクタの取付方向から見て相互に垂直もしくはほぼ垂直である、
ことを特徴とする請求項３に記載の顕微鏡用照明装置。
【請求項５】
前記近垂直照明用光源の発光側の部分は、前記コネクタの取付方向に対して傾斜している、
ことを特徴とする請求項３または４に記載の顕微鏡用照明装置。
【請求項６】
前記ホルダ部材は、
前記対物レンズの視野を確保する開口部を有し、前記対物レンズ側の部分に外側から嵌合する環状形状をなし、
前記対物レンズ側の部分に取付部材を介して着脱可能に取り付けられる取付部分と、
前記近垂直照明用光源が設けられている保持部分と、
から構成されていて、
前記近垂直照明用光源は、前記保持部分の前記開口部の縁から前記顕微鏡の前記軸に向かって１個もしくは相対向して２個突出して配置されている、
ことを特徴とする請求項１〜５のいずれか１項に記載の顕微鏡用照明装置。
【請求項７】
前記保持部分の前記開口部の縁から前記顕微鏡の前記軸に対して反対側の部分には付加光源が、前記顕微鏡の前記軸を中心もしくはほぼ中心とする円環状もしくはほぼ円環状に複数個配置されている、
ことを特徴とする請求項６に記載の顕微鏡用照明装置。
【請求項８】
前記ホルダ部材は、前記対物レンズ側の部分に着脱可能に取り付けられる補助対物レンズ部である、
ことを特徴とする請求項１〜５のいずれか１項に記載の顕微鏡用照明装置。
【請求項９】
顕微鏡と、
前記顕微鏡の対物レンズ側の部分に配置されている前記の請求項１〜８のいずれか１項に記載の顕微鏡用照明装置と、
を備える、ことを特徴とする顕微鏡用照明装置を備える顕微鏡。
【請求項１０】
顕微鏡用スタンドと、
前記顕微鏡用スタンドに配置されている顕微鏡と、
前記顕微鏡の対物レンズ側の部分に配置されている前記の請求項１〜８のいずれか１項に記載の顕微鏡用照明装置と、
を備える、ことを特徴とする顕微鏡用照明装置を備える顕微鏡システム。
【発明の詳細な説明】
【技術分野】
【０００１】
この発明は、顕微鏡用照明装置（以下、単に「照明装置」と称する場合がある）に関するものである。また、この発明は、顕微鏡用照明装置を備える顕微鏡（以下、単に「顕微鏡」と称する場合がある）に関するものである。さらに、この発明は、顕微鏡用照明装置を備える顕微鏡システム（以下、単に「顕微鏡システム」と称する場合がある）に関するものである。
【背景技術】
【０００２】
この種の照明装置、顕微鏡、顕微鏡システムは、従来からある（たとえば、特許文献１）。従来の照明装置は、グリノー立体顕微鏡の二観察管路の対象物側出口（対物レンズ末端）間の結合軸に垂直に１個もしくは２個の光源の出口が配置されているものである。従来の照明装置は、１個もしくは２個の光源の出口から光を対象物平面に照射し、対象物平面からの反射光を二観察管路を通して対象物表面を観察する。従来の照明装置は、２個の光源の出口の光軸を顕微鏡の光軸に対して約１０°〜１２°の角度で配置されている。この結果、従来の照明装置は、垂直に近い照明が得られる。
【０００３】
ここで、光を観察対象物あるいは試料など（以下、単に「観察物」と称する）に対して垂直に近い角度で照射して観察物を照明することは、影の影響が少ない。このために、このような照明は、観察物のくぼみや刻み目などの深い部位（以下、単に「深い部位」と称する）の観察に効果的な照明である。
【先行技術文献】
【特許文献】
【０００４】
【特許文献１】特表２００２−５１６４０９号公報
【発明の概要】
【発明が解決しようとする課題】
【０００５】
ところが、従来の照明装置は、顕微鏡ケーシング内部に二観察管路と共に１個もしくは２個の照明管路を有するものである。このために、従来の照明装置は、顕微鏡に照明管路（すなわち、近垂直照明用光源）を後付することができない。
【０００６】
この発明が解決しようとする課題は、顕微鏡に近垂直照明用光源を後付することができる照明装置、顕微鏡、顕微鏡システムを提供することにある。
【課題を解決するための手段】
【０００７】
この発明は、顕微鏡の対物レンズ側の部分に着脱可能に取り付けられるホルダ部材と、ホルダ部材に設けられている近垂直照明用光源と、を備え、近垂直照明光源が、顕微鏡に取り付けられたホルダ部材に対して顕微鏡の軸側に位置する、ことを特徴とする。
【０００８】
この発明は、ホルダ部材と近垂直照明用光源とが、相互に機械的にかつ電気的に着脱可能に構成されているコネクタを有する、ことを特徴とする。
【０００９】
この発明は、コネクタが、顕微鏡の軸に対して垂直もしくはほぼ垂直な板形状をなす、ことを特徴とする。
【００１０】
この発明は、板形状をなすコネクタの板面と近垂直照明用光源の光軸とが、コネクタの取付方向から見て相互に垂直もしくはほぼ垂直である、ことを特徴とする。
【００１１】
この発明は、近垂直照明用光源の発光側の部分が、コネクタの取付方向に対して傾斜している、ことを特徴とする。
【００１２】
この発明は、ホルダ部材が、対物レンズの視野を確保する開口部を有し、対物レンズ側の部分に外側から嵌合する環状形状をなし、対物レンズ側の部分に取付部材を介して着脱可能に取り付けられる取付部分と、近垂直照明用光源が設けられている保持部分と、から構成されていて、近垂直照明用光源が、保持部分の開口部の縁から顕微鏡の軸に向かって１個もしくは相対向して２個突出して配置されている、ことを特徴とする。
【００１３】
この発明は、保持部分の開口部の縁から顕微鏡の軸に対して反対側の部分には付加光源が、顕微鏡の軸を中心もしくはほぼ中心とする円環状もしくはほぼ円環状に複数個配置されている、ことを特徴とする。
【００１４】
この発明は、ホルダ部材が、対物レンズ側の部分に着脱可能に取り付けられる補助対物レンズ部である、ことを特徴とする。
【００１５】
この発明は、顕微鏡と、顕微鏡の対物レンズ側の部分に配置されている前記の顕微鏡用照明装置と、を備える、ことを特徴とする。
【００１６】
この発明は、顕微鏡用スタンドと、顕微鏡用スタンドに配置されている顕微鏡と、顕微鏡の対物レンズ側の部分に配置されている前記の顕微鏡用照明装置と、を備える、ことを特徴とする。
【発明の効果】
【００１７】
この発明は、近垂直照明用光源が設けられているホルダ部材を顕微鏡の対物レンズ側の部分に着脱可能に取り付けることにより、顕微鏡に近垂直照明用光源を後付することができる。
【図面の簡単な説明】
【００１８】
【図１】図１は、この発明にかかる照明装置、顕微鏡、顕微鏡システムの実施形態１を示す底面図（図２におけるＩ矢視図）である。
【図２】図２は、第１光源の光路と第２光源の光路とを示す一部縦断面図（図１（Ａ）におけるＩＩ−ＩＩ線断面図）である。
【図３】図３は、第２光源を示す一部正面図（図２におけるＩＩＩ矢視図）である。
【図４】図４は、使用状態を示す斜視図である。
【図５】図５は、この発明にかかる照明装置、顕微鏡、顕微鏡システムの実施形態２を示す使用状態の一部斜視図である。
【図６】図６は、補助対物レンズ部を示す説明図である。
【図７】図７は、この発明にかかる照明装置、顕微鏡、顕微鏡システムの実施形態３を示す使用状態の一部斜視図である。
【図８】図８は、枠体部を示す説明図である。
【図９】図９は、この発明にかかる照明装置、顕微鏡、顕微鏡システムの実施形態４を示す使用状態の一部側面図である。
【図１０】図１０は、この発明にかかる照明装置、顕微鏡、顕微鏡システムの実施形態５を示す一部縦断面図（図２に対応する一部縦断面図）である。
【図１１】図１１は、この発明にかかる照明装置、顕微鏡、顕微鏡システムの実施形態６を示す一部縦断面図（図２に対応する一部縦断面図）である。
【発明を実施するための形態】
【００１９】
以下、この発明にかかる照明装置、顕微鏡、顕微鏡システムの実施形態（実施例）の６例を図面に基づいて詳細に説明する。
【００２０】
（実施形態１の構成の説明）
図１〜図４は、この発明にかかる照明装置、顕微鏡、顕微鏡システムの実施形態１を示す。以下、この実施形態１にかかる照明装置、顕微鏡、顕微鏡システムの構成について説明する。図１（Ａ）は、近垂直照明用光源としての第２光源２２が取り付けられていて、グリノー式（グリノー式光学系）の実体顕微鏡あるいは立体顕微鏡（以下、単に「実体顕微鏡」と称する）３に装着されている照明装置４を示す底面図である。図１（Ｂ）は、第２光源２２が取り外されていて、ガリレオ式（ガリレオ式平行光学系）の実体顕微鏡３に装着されている照明装置４を示す底面図である。図３（Ａ）は、板形状のコネクタ３６、３７により取り付けられている第２光源２２を示す一部正面図である。図３（Ｂ）は、円形状のコネクタ３８により取り付けられている第２光源２２を示す一部正面図である。なお、図２においては、リング状照明用光源としての第１光源２１の一部を図示し、二点鎖線にて示す範囲の第１光源２１の図示を省略してある。
【００２１】
（顕微鏡システム１の説明）
この実施形態１にかかる顕微鏡システム１は、図４に示すように、顕微鏡用スタンド２と、顕微鏡３と、照明装置４と、を備える。
【００２２】
（顕微鏡用スタンド２の説明）
前記顕微鏡用スタンド２は、台座５と、焦点調節柱６と、焦点調節アーム７と、を備える。前記台座５の一面（上面）には、観察物８が載置される。前記台座５の一辺の中央には、前記焦点調節柱６の一端（下端）が固定されている。前記焦点調節柱６には、前記焦点調節アーム７の一端部分が前記焦点調節柱６の軸方向（上下方向）に移動可能に取り付けられている。前記焦点調節アーム７の他端部分には、環状形状の固定部９が設けられている。前記固定部９には、固定スクリュー１０を介して、前記顕微鏡３が着脱可能に固定されている。
【００２３】
（顕微鏡３の説明）
前記顕微鏡３は、３眼鏡筒の実体顕微鏡である。前記顕微鏡３は、本体鏡筒１１と、２個の接眼レンズ鏡筒１２と、Ｃマウント鏡筒１３と、対物レンズ鏡筒１４と、を備える。前記本体鏡筒１１の一端部（上端部）には、２個の前記接眼レンズ鏡筒１２が、それぞれ前記顕微鏡３の軸Ｏに対して斜めに設けられている。２個の前記接眼レンズ鏡筒１２には、２個の接眼レンズ部１５が、それぞれ着脱可能に装着されている。２個の前記接眼レンズ部１５は、それぞれ接眼レンズを有する。
【００２４】
前記本体鏡筒１１の一端部には、前記Ｃマウント鏡筒１３が、前記軸Ｏと平行もしくはほぼ平行に設けられている。前記Ｃマウント鏡筒１３には、カメラなど（図示せず）が着脱可能に装着される。
【００２５】
前記本体鏡筒１１の他端部（下端部）には、前記対物レンズ鏡筒１４が、前記軸Ｏと平行もしくはほぼ平行に設けられている。前記対物レンズ鏡筒１４には、対物レンズ部１６が着脱可能に装着されている。前記対物レンズ部１６は、前記顕微鏡３がグリノー式の場合、図１（Ａ）に示すように、左右独立した２個の対物レンズ１７を有し、前記顕微鏡３がガリレオ式の場合、図１（Ｂ）に示すように、１個の大きな対物レンズ１８を有する。
【００２６】
前記対物レンズ部１６は、前記軸Ｏを中心もしくはほぼ中心とする円筒形状もしくはほぼ円筒形状をなしている。前記対物レンズ部１６は、前記顕微鏡３の対物レンズ側の部分を構成する。前記顕微鏡３の対物レンズ側の部分である前記対物レンズ部１６には、取付部材としての取付スクリュー１９を介して、前記照明装置４が着脱可能に取り付けられている。
【００２７】
なお、前記顕微鏡３によっては、前記対物レンズ鏡筒１４の一端部（下端部）が前記軸Ｏを中心もしくはほぼ中心とする円筒形状もしくはほぼ円筒形状をなしていて、前記対物レンズ鏡筒１４の一端部が前記顕微鏡３の対物レンズ側の部分を構成する場合がある。この場合においては、前記対物レンズ鏡筒１４の一端部に、前記取付スクリュー１９を介して、前記照明装置４が着脱可能に取り付けられる。また、前記顕微鏡３によっては、アタッチメント（図示せず）を介して、前記顕微鏡３の対物レンズ側の部分である前記対物レンズ部１６あるいは前記対物レンズ鏡筒１４の一端部に、前記取付スクリュー１９を介して、前記照明装置４が着脱可能に取り付けられる。
【００２８】
（照明装置４の説明）
前記照明装置４は、ホルダ部材２０と、リング状照明用光源（付加光源）としての第１光源２１および近垂直照明用光源としての第２光源２２と、を備える。
【００２９】
（ホルダ部材２０の説明）
前記ホルダ部材２０は、絶縁部材、この例では、樹脂部材から構成されている。前記ホルダ部材２０は、前記対物レンズ１７または１８の視野を確保する開口部２３を有する。前記開口部２３は、前記軸Ｏを中心もしくはほぼ中心とする円形状もしくはほぼ円形状をなす。前記ホルダ部材２０は、前記対物レンズ部１６に外側から嵌合する環状形状をなしている。すなわち、前記ホルダ部材２０は、前記開口部２３を有する円環形状の部分２４と台形形状の部分２５とが一体となった形状をなす。
【００３０】
前記ホルダ部材２０は、取付部分２６と、保持部分２７と、カバー部分２８と、から構成されている。前記取付部分２６は、前記円環形状の部分２４の一面（上面）に一体に設けられている。前記取付部分２６は、前記軸Ｏを中心もしくはほぼ中心とする円筒形状もしくはほぼ円筒形状をなしている。前記取付部分２６の径は、前記円環形状の部分２４の径よりも小さい。前記取付部分２６は、前記対物レンズ部１６に前記取付スクリュー１９を介して着脱可能に取り付けられる。
【００３１】
前記保持部分２７には、前記第１光源２１および前記第２光源２２が、それぞれ設けられている。すなわち、前記保持部分２７の前記円環形状の部分２４の他面（下面）には、前記第１光源２１が設けられている。前記保持部分２７の前記円環形状の部分２４の前記開口部２３の内周面には、前記第２光源２２が設けられている。前記保持部分２７の前記台形形状の部分２５の一面（下面）には、駆動回路、スイッチ２９、光量調整ダイヤル３０、電源ケーブル３１などが設けられている。
【００３２】
前記カバー部分２８は、前記保持部分２７の前記台形形状の部分２５の一面に取り付けられている。前記カバー部分２８は、前記駆動回路、前記スイッチ２９、前記光量調整ダイヤル３０、前記電源ケーブル３１などを覆う。なお、前記スイッチ２９の一部分、前記光量調整ダイヤル３０の一部分、前記電源ケーブル３１の大部分などは、前記カバー部分２８から外側に突出している。
【００３３】
（第１光源２１の説明）
前記第１光源２１は、この例では、砲弾型のＬＥＤである。前記第１光源２１は、図２に示すように、光を光軸（照明光軸）Ｌ１に沿って放射してその光により前記観察物８を照明する。前記第１光源２１は、図１、図２に示すように、前記保持部分２７の前記円環形状の部分２４の他面のうち、前記開口部２３の縁から前記顕微鏡３の前記軸Ｏ（前記対物レンズ１７または１８、前記対物レンズ部１６）に対して反対側の部分に配置されている。前記第１光源２１は、前記軸Ｏを中心もしくはほぼ中心とする円環状もしくはほぼ円環状に２列（２重）に複数個配置されている。なお、前記第１光源２１は、１列もしくは３例以上に配置しても良いし、また、円環状以外の形状に配置しても良い。前記光軸Ｌ１は、前記第１光源２１から放射された光（光束）の中心軸である。前記光軸Ｌ１上の光により照明される箇所の照度（光度）は、最高もしくはほぼ最高である。
【００３４】
複数個の前記第１光源２１は、円環形状の基板３２に、前記軸Ｏに向けて傾斜した状態で実装されている。この結果、複数個の前記第１光源２１の前記光軸Ｌ１は、前記顕微鏡システム１の焦点Ｆもしくはその近傍に集中する。複数個の前記第１光源２１は、前記基板３２を介して、前記駆動回路、前記スイッチ２９、前記光量調整ダイヤル３０、前記電源ケーブル３１などに電気的に接続されている。複数個の前記第１光源２１は、前記スイッチ２９のオン、オフにより、点灯、消灯し、かつ、前記光量調整ダイヤル３０の回転操作により、光量が調整される。
【００３５】
（第２光源２２の説明）
前記第２光源２２は、この例では、板形状の表面実装型のＬＥＤである。前記第２光源２２は、基板と、前記基板に実装された発光チップ３３と、前記基板および前記発光チップ３３を覆う樹脂製のカバー３４と、から構成されている。前記第２光源２２は、図２に示すように、前記発光チップ３３から光を光軸（照明光軸）Ｌ２に沿って放射してその光により観察物８を照明する。前記光軸Ｌ２は、前記第２光源２２の前記発光チップ３３から放射された光（光束）の中心軸である。前記光軸Ｌ２上の光により照明される箇所の照度（光度）は、最高もしくはほぼ最高である。
【００３６】
前記発光チップ３３は、シングルチップもしくはマルチチップであって、この例では、矩形形状をなしていて、平面の発光面を有する。前記カバー３４には、前記発光チップ３３から放射される光を収束して前記第２光源２２の前記光軸Ｌ２に沿って外部に照射する光学素子（レンズ）を設けても良い。
【００３７】
図１〜図３に示すように、前記第２光源２２は、前記保持部分２７の前記円環形状の部分２４の前記開口部２３の縁であって前記開口部２３の内周面から前記顕微鏡３の前記軸Ｏ（２個の前記対物レンズ１７、前記対物レンズ部１６）に向かって１個突出して配置されている。前記第２光源２２は、前記開口部２３の径方向に突出していて、かつ、２個の前記対物レンズ１７の間に位置していて、２個の前記対物レンズ１７の視野の妨げとならないように配置されている。
【００３８】
前記第２光源２２の前記光軸Ｌ２は、前記焦点Ｆもしくはその近傍において、前記第１光源２１の前記光軸Ｌ１と交差する。前記第２光源２２は、前記第１光源２１に対して、前記軸Ｏ側に位置する。この結果、前記第２光源２２の前記光軸Ｌ２と前記観察物８の観察面３５とのなす角度（以下、「第２光源２２の照明角度」と称する）θ２は、複数個の前記第１光源２１の前記光軸Ｌ１と前記観察面３５とのなす角度（以下、「第１光源２１の照明角度」と称する）θ１よりも大きい。これにより、前記第２光源２２の前記光軸Ｌ２は、複数個の前記第１光源２１の前記光軸Ｌ１と比較して、前記観察面３５に対して垂直（すなわち、前記軸Ｏ）に近い。
【００３９】
なお、図２においては、外側の円環状の前記第１光源２１の前記光軸Ｌ１を図示し、内側の円環状の前記第１光源２１の光軸の図示を省略してある。内側の円環状の前記第１光源２１の光軸と前記観察面３５とのなす角度は、外側の円環状の前記第１光源２１の前記光軸Ｌ１と前記観察面３５とのなす角度θ１と同等もしくはほぼ同等であっても良いし、異なっていても良い。
【００４０】
（コネクタ３６、３７の説明）
前記ホルダ部材２０と前記第２光源２２とは、相互に機械的にかつ電気的に着脱可能に構成されているコネクタ３６、３７を有する。前記コネクタ３６、３７は、前記軸Ｏに対して垂直もしくはほぼ垂直な板形状をなす。すなわち、前記コネクタ３６、３７の板面は、前記軸Ｏに対して垂直もしくはほぼ垂直である。板形状をなす前記コネクタ３６、３７の板面と、前記第２光源２２の前記光軸Ｌ２とは、図３（Ａ）に示すように、前記コネクタ３６、３７の取付方向（図２中の符号「ＩＩＩ」の矢印方向と平行もしくはほぼ平行な方向）から見て、相互に垂直（直交）もしくはほぼ垂直（直交）している。前記コネクタ３６、３７の板面は、前記第２光源２２の前記発光チップ３３の発光面に対して、平行もしくはほぼ平行である。前記コネクタ３６、３７は、この例では、ＵＳＢコネクタ（マイクロＵＳＢコネクタ）である。
【００４１】
前記ホルダ部材２０側の前記コネクタ３６は、メス側コネクタ３６である。前記メス側コネクタ３６は、前記保持部分２７の前記円環形状の部分２４のうち、前記台形形状の部分２５に隣接する部分に埋設されている。前記メス側コネクタ３６は、前記駆動回路、前記スイッチ２９、前記電源ケーブル３１などに電気的に接続されている。前記メス側コネクタ３６の開口は、前記保持部分２７の前記円環形状の部分２４の前記開口部２３の内周面に位置する。
【００４２】
前記第２光源２２側の前記コネクタ３７は、オス側コネクタ３７である。前記オス側コネクタ３７は、前記メス側コネクタ３６の前記開口中に機械的にかつ電気的に着脱可能に挿入される。この結果、前記第２光源２２は、前記コネクタ３６、３７を介して、前記ホルダ部材２０に機械的に取り付けられていて、かつ、前記駆動回路、前記スイッチ２９、前記電源ケーブル３１などに電気的に接続されている。前記第２光源２２は、前記スイッチ２９のオン、オフにより、点灯、消灯する。
【００４３】
（実施形態１の作用の説明）
この実施形態１にかかる照明装置４、顕微鏡３、顕微鏡システム１（以下、単に「照明装置など１、３、４」と称する）は、以上のごとき構成からなり、以下、その作用について説明する。
【００４４】
まず、グリノー式の顕微鏡３を使用する場合には、照明装置４のホルダ部材２０に第２光源２２をコネクタ３６、３７を介して取り付ける。つぎに、第２光源２２を取り付けた照明装置４を、取付スクリュー１９を介して、顕微鏡３の対物レンズ側の部分に取り付ける。このとき、図１（Ａ）に示すように、第２光源２２が２個の対物レンズ１７の間に位置して２個の対物レンズ１７の視野の妨げとならないようにする。ここで、顕微鏡３と照明装置４とに、特に、顕微鏡３の対物レンズ鏡筒１４と照明装置４の取付部分２６とに、機械的な位置決め手段、あるいは、目印の位置決めマークなどを設けると、２個の対物レンズ１７の視野の妨げとならないように、第２光源２２の位置を簡単にかつ確実に決めることができる。
【００４５】
それから、照明装置４を取り付けた顕微鏡３を顕微鏡用スタンド２の固定部９に固定スクリュー１０を介して固定する。一方、顕微鏡用スタンド２の台座５上に観察物８を載置する。それから、スイッチ２９をオンして、複数個の第１光源２１および１個の第２光源２２を点灯する。すると、複数個の第１光源２１から放射された光および１個の第２光源２２から放射された光は、観察物８の観察面３５側に照射されて、観察面３５を照明する。
【００４６】
そして、顕微鏡用スタンド２の焦点調節アーム７を焦点調節柱６に対して上下に移動させて、焦点を調節する。顕微鏡３の接眼レンズ部１５を覗いて、観察面３５を照明装置４の照明の下で観察する。ここで、光量調整ダイヤル３０を回すと、複数個の第１光源２１の光量を調整することができる。スイッチ２９をオフすると、複数個の第１光源２１および１個の第２光源２２が消灯する。
【００４７】
なお、ガリレオ式の顕微鏡３を使用する場合には、図１（Ｂ）に示すように、照明装置４のホルダ部材２０から第２光源２２を取り外して前記のように使用する。
【００４８】
（実施形態１の効果の説明）
この実施形態１にかかる照明装置など１、３、４は、以上のごとき構成および作用からなり、以下、その効果について説明する。
【００４９】
この実施形態１にかかる照明装置など１、３、４は、図４に示すように、近垂直照明用光源としての第２光源２２が設けられているホルダ部材２０を顕微鏡３の対物レンズ側の部分（対物レンズ部１６あるいは対物レンズ鏡筒１４の一端部）に着脱可能に取り付けることにより、顕微鏡３に近垂直照明用光源としての第２光源２２を後付することができる。特に、この実施形態１にかかる照明装置など１、３、４は、ホルダ部材２０にリング状照明用光源（付加光源）としての第１光源２１が設けられている。このために、この実施形態１にかかる照明装置など１、３、４は、ホルダ部材２０を顕微鏡３に着脱可能に取り付けることにより、顕微鏡３に近垂直照明用光源としての第２光源２２とリング状照明用光源（付加光源）としての第１光源２１とを同時に後付することができる。
【００５０】
この実施形態１にかかる照明装置など１、３、４は、顕微鏡３に近垂直照明用光源としての第２光源２２を後付することにより、第２光源２２がホルダ部材２０の開口部２３の縁から、顕微鏡３の軸Ｏ、あるいは、２個の対物レンズ１７（対物レンズ部１６）、側に突出して配置されている。この結果、この実施形態１にかかる照明装置など１、３、４は、第２光源２２の照明角度θ２を、一般の照明装置、顕微鏡、顕微鏡システム（たとえば、第１光源２１の照明角度θ１）と比較して、垂直に近い角度にすることができる。したがって、この実施形態１にかかる照明装置など１、３、４は、第２光源２２からの光を観察面３５に対して垂直に近い角度（第２光源２２の照明角度θ２）で照射して観察面３５を照明することができる。これにより、この実施形態１にかかる照明装置など１、３、４は、影の影響が少ないので、観察物８の深い部位の観察に効果的な照明が得られる。
【００５１】
この実施形態１にかかる照明装置など１、３、４は、ホルダ部材２０と第２光源２２とが相互に機械的にかつ電気的に着脱可能に構成されているコネクタ３６、３７を有するものである。このために、この実施形態１にかかる照明装置など１、３、４は、ホルダ部材２０に第２光源２２をコネクタ３６、３７を介して取り付けることにより、照明装置４をグリノー式の顕微鏡３に、最適な状態で使用することができる。一方、この実施形態１にかかる照明装置など１、３、４は、ホルダ部材２０から第２光源２２をコネクタ３６、３７を介して取り外すことにより、照明装置４をガリレオ式の顕微鏡３に、最適な状態で使用することができる。しかも、この実施形態１にかかる照明装置など１、３、４は、コネクタ３６、３７を介して、第２光源２２をホルダ部材２０に着脱可能に取り付けるものであるから、構造が簡単であり、その分、安価に提供することができる。
【００５２】
この実施形態１にかかる照明装置など１、３、４は、コネクタ３６、３７が軸Ｏに対して垂直もしくはほぼ垂直な板形状をなす。このために、この実施形態１にかかる照明装置など１、３、４は、図３（Ａ）に示すように、照明装置４のホルダ部材２０の下面から観察面３５までの間の作動距離ＷＤを長く（広く）確保することができる。
【００５３】
ここで、コネクタとして円形状のコネクタ３８を使用した場合について図３（Ｂ）を参照して説明する。コネクタ３８は、丸棒形状あるいは円筒形状をなすものであって、この例では、ＲＣＡ端子（ピン端子、ピンプラグ・ピンジャック）である。図示のコネクタ３８は、ホルダ部材２０に埋設されているメス側のコネクタである。円形状のコネクタ３８は、板形状のコネクタ（メス側のコネクタ）３６と比較して、軸Ｏ方向に、寸法Ｔ２分長い。このために、板形状のコネクタ３６の下面からホルダ部材２０の下面までの距離Ｔ３と、円形状のコネクタ３８の下面（最下位の面）からホルダ部材２０の下面までの距離Ｔ３と、が同等もしくはほぼ同等であるとする。すると、円形状のコネクタ３８を有するホルダ部材２０の軸Ｏ方向の寸法は、板形状のコネクタ３６を有するホルダ部材２０の軸Ｏ方向の寸法と比較して、寸法Ｔ２分長い。この結果、円形状のコネクタ３８を有するホルダ部材２０の下面から観察面３５までの作動距離は、板形状のコネクタ３６を有するホルダ部材２０の下面から観察面３５までの作動距離ＷＤと比較して、寸法Ｔ２分短い（狭い）。すなわち、図２に示すように、顕微鏡３の対物レンズ部１６の下面から観察面３５までの距離Ｔ１が一定である場合においては、ホルダ部材２０の軸Ｏ方向の寸法が寸法Ｔ２分長くなると、ホルダ部材２０の下面から観察面３５までの作動距離が寸法Ｔ２分短くなる（狭くなる）。このように、この実施形態１にかかる照明装置など１、３、４は、板形状のコネクタ３６、３７を使用することにより、図３（Ａ）、（Ｂ）に示すように、円形状のコネクタ３８を使用するものと比較して、作動距離ＷＤを長く（広く）確保することができる。
【００５４】
この実施形態１にかかる照明装置など１、３、４は、板形状のコネクタ３６、３７の板面と第２光源２２の光軸Ｌ２とがコネクタ３６、３７の取付方向から見て相互に垂直（直交）もしくはほぼ垂直（直交）している。このために、この実施形態１にかかる照明装置など１、３、４は、図３（Ａ）に示すように、板形状のメス側のコネクタ３６をホルダ部材２０に軸Ｏに対して垂直もしくはほぼ垂直に埋設し、メス側のコネクタ３６に第２光源を有するオス側のコネクタ３７を取り付ける。すると、第２光源２２の光軸Ｌ２が軸Ｏに対して平行もしくはほぼ平行になる。これにより、この実施形態１にかかる照明装置など１、３、４は、第２光源２２の発光チップ３３の発光面から放射される光の光軸Ｌ２を観察面３５に確実に向けることができる。
【００５５】
ここで、コネクタとして円形状のコネクタ３８を使用した場合について図３（Ｂ）を参照して説明する。ホルダ部材２０に埋設した円形状のメス側のコネクタ３８に、第２光源を有する円形状のオス側のコネクタ（図示せず）を、取り付ける。すると、円形状のオス側のコネクタは、円形状のメス側のコネクタ３８に対して、円の中心Ｏ１を中心として矢印方向（時計方向および反時計方向）に回ることができる。このために、回り止めなどを設けないと、第２光源２２の光軸Ｌ２を観察面３５に確実に向けることが困難となる。このように、この実施形態１にかかる照明装置など１、３、４は、板形状のコネクタ３６、３７を使用し、かつ、板形状のコネクタ３６、３７の板面と第２光源２２の光軸Ｌ２とをコネクタ３６、３７の取付方向から見て垂直もしくはほぼ垂直にすることにより、図３（Ａ）に示すように、回り止めなどを設けずに、第２光源２２の光軸Ｌ２を観察面３５に確実に向けることができる。
【００５６】
この実施形態１にかかる照明装置など１、３、４は、リング状照明用光源（付加光源）としての第１光源２１がホルダ部材２０に設けられているので、観察物８の観察面３５を広範囲に亘って照明することができる。この結果、この実施形態１にかかる照明装置など１、３、４は、近垂直照明用光源としての第２光源２２からのスポット的照明と、リング状照明用光源（付加光源）としての第１光源２１からの広範囲的照明と、により、さらに高精度に観察物８の観察面３５の観察を行うことができる。
【００５７】
（実施形態２の構成、作用、効果の説明）
図５、図６は、この発明にかかる照明装置、顕微鏡、顕微鏡システムの実施形態２を示す。以下、この実施形態２にかかる照明装置、顕微鏡、顕微鏡システムの構成、作用、効果について説明する。図５（Ａ）は、顕微鏡３に照明装置４Ａが装着されている状態を示す一部斜視図である。図５（Ｂ）は、顕微鏡３から照明装置４Ａが取り外されている状態を示す一部斜視図である。図６（Ａ）は、照明装置４Ａを示す底面図（図５（Ａ）におけるＶＩ矢視図）である。図６（Ｂ）は、照明装置４Ａを示す縦断面図（図６（Ａ）におけるＢ−Ｂ線断面図）である。図中、図１〜図４と同符号は、同一のものを示す。
【００５８】
この実施形態２にかかる照明装置４Ａのホルダ部材は、顕微鏡３の対物レンズ側の部分に着脱可能に取り付けられる補助対物レンズ部３９である。前記補助対物レンズ部３９は、前記顕微鏡３の軸Ｏを中心もしくはほぼ中心とする円筒形状もしくはほぼ円筒形状をなす。前記補助対物レンズ部３９の中間部の内周面には、近垂直照明用光源としての第２光源２２がコネクタを介して着脱可能に取り付けられている。前記補助対物レンズ部３９の一端部（上端部）の内周面には、補助対物レンズ４０が内蔵されている。前記補助対物レンズ部３９の一端部の外周面には、オス側ネジ４１が設けられている。一方、前記顕微鏡３の対物レンズ部１６の内周面には、メス側ネジ４２が設けられている。
【００５９】
この実施形態２にかかる照明装置４Ａの補助対物レンズ部３９のオス側ネジ４１を、グリノー式の顕微鏡３の対物レンズ部１６のメス側ネジ４２に、ねじ込むことにより、図５（Ａ）に示すように、顕微鏡３に近垂直照明用光源としての第２光源２２を後付することができる。なお、ガリレオ式の顕微鏡３を使用する場合には、照明装置４Ａの補助対物レンズ部３９から第２光源２２を取り外して使用する。
【００６０】
この実施形態２にかかる照明装置など１、３、４Ａは、以上のごとき構成、作用からなるものであるから、前記の実施形態１にかかる照明装置など１、３、４の効果と、同等もしくはほぼ同等の効果を達成することができる。特に、この実施形態２にかかる照明装置など１、３、４Ａは、ホルダ部材としての補助対物レンズ部３９に近垂直照明用光源としての第２光源２２が設けられている。このために、この実施形態２にかかる照明装置など１、３、４Ａは、ホルダ部材としての補助対物レンズ部３９を顕微鏡３に着脱可能に取り付けることにより、顕微鏡３に近垂直照明用光源としての第２光源２２と補助対物レンズ部３９とを同時に後付することができる。
【００６１】
（実施形態３の構成、作用、効果の説明）
図７、図８は、この発明にかかる照明装置、顕微鏡、顕微鏡システムの実施形態３を示す。以下、この実施形態３にかかる照明装置、顕微鏡、顕微鏡システムの構成、作用、効果について説明する。図７（Ａ）は、顕微鏡３に照明装置４Ｂが装着されている状態を示す一部斜視図である。図７（Ｂ）は、顕微鏡３から照明装置４Ｂが取り外されている状態を示す一部斜視図である。図８（Ａ）は、照明装置４Ｂを示す底面図（図７（Ａ）におけるＶＩＩＩ矢視図）である。図８（Ｂ）は、照明装置４Ｂを示す縦断面図（図８（Ａ）におけるＢ−Ｂ線断面図）である。図中、図１〜図４と同符号は、同一のものを示す。
【００６２】
この実施形態３にかかる照明装置４Ｂのホルダ部材は、顕微鏡３の対物レンズ側の部分に着脱可能に取り付けられる枠体部４３である。前記枠体部４３は、前記顕微鏡３の軸Ｏを中心もしくはほぼ中心とする円筒形状もしくはほぼ円筒形状をなす。前記枠体部４３の中間部の内周面には、近垂直照明用光源としての第２光源２２がコネクタを介して着脱可能に取り付けられている。前記枠体部４３の一端部（上端部）の内周面には、円環状もしくはほぼ円環状の凸部４４が設けられている。一方、前記顕微鏡３の対物レンズ部１６の外周面には、円環状もしくはほぼ円環状の凹部４５が設けられている。
【００６３】
この実施形態３にかかる照明装置４Ｂの枠体部４３の凸部４４を、グリノー式の顕微鏡３の対物レンズ部１６の凹部４５に、嵌合することにより、図７（Ａ）に示すように、顕微鏡３に近垂直照明用光源としての第２光源２２を後付することができる。なお、ガリレオ式の顕微鏡３を使用する場合には、照明装置４Ｂの枠体部４３から第２光源２２を取り外して使用する。
【００６４】
この実施形態３にかかる照明装置など１、３、４Ｂは、以上のごとき構成、作用からなるものであるから、前記の実施形態１、２にかかる照明装置など１、３、４、４Ａの効果と、同等もしくはほぼ同等の効果を達成することができる。特に、この実施形態３にかかる照明装置など１、３、４Ｂは、ホルダ部材が顕微鏡３の凹部４５に嵌合する凸部４４を有する枠体部４３からなるものである。このために、この実施形態３にかかる照明装置など１、３、４Ｂは、ホルダ部材としての枠体部４３の構造が簡単であり、かつ、製造コストが安価である。
【００６５】
（実施形態４の構成、作用、効果の説明）
図９は、この発明にかかる照明装置、顕微鏡、顕微鏡システムの実施形態４を示す。以下、この実施形態４にかかる照明装置、顕微鏡、顕微鏡システムの構成、作用、効果について説明する。図９（Ａ）は、顕微鏡３に照明装置４Ｃが装着されている状態を示す一部側面図である。図９（Ｂ）は、顕微鏡３から照明装置４Ｃが取り外されている状態を示す一部側面図である。図中、図１〜図４と同符号は、同一のものを示す。
【００６６】
この実施形態４にかかる照明装置４Ｃのホルダ部材は、顕微鏡３の対物レンズ側の部分に着脱可能に取り付けられるクリップ部４６である。前記クリップ部４６は、第１クリップ４７の中間部に第２クリップ４８の中間部をピン４９により回動可能に取り付け、かつ、前記第１クリップ４７の一端部（右端部）と前記第２クリップ４８の一端部（右端部）との間に、バネ５０を介在させてなるものである。この結果、前記クリップ部４６は、非使用状態においては、図９（Ｂ）に示すように、前記バネ５０のバネ力により、前記第１クリップ４７の他端部（左端部）と前記第２クリップ４８の他端部（左端部）とが閉じた状態にある。また、前記クリップ部４６は、前記第２クリップ４８を前記第１クリップ４７に対して、前記ピン４９を中心として図９（Ｂ）中の矢印方向に、前記バネ５０のバネ力に抗して回動させる。すると、図９（Ａ）に示すように、前記第１クリップ４７の他端部と前記第２クリップ４８の他端部とを開くことができる。
【００６７】
前記第１クリップ４７の他端部（左端部）には、近垂直照明用光源としての第２光源２２がコネクタを介して着脱可能に取り付けられている。一方、前記顕微鏡３の対物レンズ部１６の外周面には、円環状もしくはほぼ円環状の凹部４５が設けられていて、前記対物レンズ部１６の端部（下端部）には、円形状もしくはほぼ円形状の鍔部５１が形成されている。
【００６８】
この実施形態４にかかる照明装置４Ｃのクリップ部４６の第１クリップ４７の他端部と第２クリップ４８の他端部とを、グリノー式の顕微鏡３の鍔部５１に、バネ５０のバネ力で挟み込むことにより、図９（Ａ）に示すように、顕微鏡３に近垂直照明用光源としての第２光源２２を後付することができる。なお、ガリレオ式の顕微鏡３を使用する場合には、照明装置４Ｃのクリップ部４６から第２光源２２を取り外して使用する。
【００６９】
この実施形態４にかかる照明装置など１、３、４Ｃは、以上のごとき構成、作用からなるものであるから、前記の実施形態１、２、３にかかる照明装置など１、３、４、４Ａ、４Ｂの効果と、同等もしくはほぼ同等の効果を達成することができる。特に、この実施形態４にかかる照明装置など１、３、４Ｃは、ホルダ部材が顕微鏡３の鍔部５１に挟み込むクリップ部４６からなるものである。このために、この実施形態４にかかる照明装置など１、３、４Ｃは、ホルダ部材としてのクリップ部４６の構造が簡単であり、かつ、製造コストが安価であり、しかも、クリップ部４６自体がコンパクトである。
【００７０】
（実施形態５の構成、作用、効果の説明）
図１０は、この発明にかかる照明装置、顕微鏡、顕微鏡システムの実施形態５を示す。以下、この実施形態５にかかる照明装置、顕微鏡、顕微鏡システムの構成、作用、効果について説明する。図中、図１〜図９と同符号は、同一のものを示す。
【００７１】
前記の実施形態１〜４にかかる照明装置４〜４Ｃの第２光源２２は、発光チップ３３およびカバー３４の全体がコネクタ３６、３７の取付方向（図２中の符号「ＩＩＩ」の矢印方向と平行もしくはほぼ平行な方向）に平らである。これに対して、この実施形態５にかかる照明装置４の第２光源２２Ａは、第２光源２２Ａの発光側の部分、すなわち、発光チップ３３およびカバー３４の一部分（コネクタ３７に対して反対側の端部分）がコネクタ３６、３７の取付方向（図１０中の矢印方向）に対して傾斜している。なお、この実施形態５にかかる照明装置４の第２光源２２Ａにおいては、カバー３４の全体がコネクタ３６、３７の取付方向に平らであり、第２光源２２Ａの発光側の部分、すなわち、発光チップ３３がコネクタ３６、３７の取付方向に対して傾斜している場合であっても良い。
【００７２】
この実施形態５にかかる照明装置など１、３、４は、以上のごとき構成、作用からなるものであるから、前記の実施形態１〜４にかかる照明装置など１、３、４、４Ａ、４Ｂ、４Ｃの効果と、同等もしくはほぼ同等の効果を達成することができる。特に、この実施形態５にかかる照明装置など１、３、４は、第２光源２２Ａの発光側の部分がコネクタ３６、３７の取付方向に対して傾斜している。このために、この実施形態５にかかる照明装置など１、３、４は、第２光源２２Ａの光軸Ｌ２と観察物８の観察面３５とのなす角度、すなわち、第２光源２２Ａの照明角度θ２を、垂直に近い角度にすることができる。この結果、この実施形態５にかかる照明装置など１、３、４は、垂直に近い照明、すなわち、観察物のくぼみや刻み目などの深い部位の観察に効果的な照明が得られる。
【００７３】
（実施形態６の構成、作用、効果の説明）
図１１は、この発明にかかる照明装置、顕微鏡、顕微鏡システムの実施形態６を示す。以下、この実施形態６にかかる照明装置、顕微鏡、顕微鏡システムの構成、作用、効果について説明する。図中、図１〜図１０と同符号は、同一のものを示す。
【００７４】
前記の実施形態１〜５にかかる照明装置４〜４Ｃの第２光源２２、２２Ａは、発光チップ３３およびカバー３４からなるものである。これに対して、この実施形態６にかかる照明装置４の第２光源２２Ｂは、保持部材（保持板）５２および砲弾型のＬＥＤ５３からなるものである。この実施形態６にかかる照明装置４の第２光源２２Ｂにおいては、保持部材５２の全体がコネクタ３６、３７の取付方向（図１１中の矢印方向）に平らであり、第２光源２２Ｂの発光側の部分、すなわち、砲弾型のＬＥＤ５３がコネクタ３６、３７の取付方向に対して傾斜している。なお、この実施形態６にかかる照明装置４の第２光源２２Ｂにおいては、前記の実施形態５にかかる照明装置４の第２光源２２Ａと同様に、第２光源２２Ｂの発光側の部分、すなわち、砲弾型のＬＥＤ５３および保持部材５２の一部分（コネクタ３７に対して反対側の端部分）がコネクタ３６、３７の取付方向に対して傾斜している場合であっても良い。
【００７５】
この実施形態６にかかる照明装置など１、３、４は、以上のごとき構成、作用からなるものであるから、前記の実施形態１〜４にかかる照明装置など１、３、４、４Ａ、４Ｂ、４Ｃの効果と、同等もしくはほぼ同等の効果を達成することができる。特に、この実施形態６にかかる照明装置など１、３、４は、第２光源２２Ｂの発光側の部分がコネクタ３６、３７の取付方向に対して傾斜している。このために、この実施形態６にかかる照明装置など１、３、４は、前記の実施形態５にかかる照明装置など１、３、４と同様に、第２光源２２Ｂの光軸Ｌ２と観察物８の観察面３５とのなす角度、すなわち、第２光源２２Ｂの照明角度θ２を、垂直に近い角度にすることができる。この結果、この実施形態６にかかる照明装置など１、３、４は、垂直に近い照明、すなわち、観察物のくぼみや刻み目などの深い部位の観察に効果的な照明が得られる。
【００７６】
（実施形態１〜６以外の例の説明）
なお、この実施形態１〜６においては、第２光源２２を１個使用する例について説明するものである。ところが、この発明においては、第２光源２２を２個（一方の第２光源２２を二点鎖線にて示す）使用しても良い。この場合においては、図１（Ａ）に示すように、２個の第２光源２２を、ホルダ部材２０の開口部２３の内周面から顕微鏡３の軸Ｏ（２個の対物レンズ１７、対物レンズ部１６）に向かって、開口部２３の径方向に、相対向して突出させて配置させる。このとき、２個の第２光源２２を、２個の対物レンズ１７の間に位置させて、２個の対物レンズ１７の視野の妨げとならないように配置させる。
【００７７】
また、この実施例１〜６においては、第２光源２２をコネクタ３６、３７を介してホルダ部材２０、補助対物レンズ部３９、枠体部４３、クリップ部４６に機械的にかつ電気的に着脱可能に取り付けるものである。ところが、この発明においては、第２光源２２を直接ホルダ部材２０、補助対物レンズ部３９、枠体部４３、クリップ部４６に機械的にかつ電気的に一体に固定しても良い。また、この発明においては、第２光源２２をホルダ部材２０にスライド可能もしくは倒立可能に取り付けて、グリノー式の顕微鏡３のときには、第２光源２２をホルダ部材２０の開口部２３から突出させて使用し、また、ガリレオ式の顕微鏡３のときには、第２光源２２をホルダ部材２０の開口部２３より引っ込ませて使用しても良い。
【００７８】
さらに、この実施例１〜６においては、第１光源２１および第２光源２２として、ＬＥＤを使用するものである。ところが、この発明においては、第１光源２１および第２光源２２として、ＬＥＤ以外に、たとえば、ＯＥＬまたはＯＬＥＤ（有機ＥＬ）などの自発光半導体型光源を使用しても良い。
【００７９】
さらにまた、この実施形態１〜６においては、顕微鏡３として、Ｃマウント鏡筒１３を備える３眼鏡筒の実体顕微鏡について説明するものである。ところが、この発明においては、顕微鏡３として、Ｃマウント鏡筒１３を備えていない２眼鏡筒の実体顕微鏡であっても良い。
【００８０】
なお、この発明は、前記の実施形態１〜６により限定されるものではない。たとえば、ホルダ部材２０は、円環形状以外の形状でも良いし、また、開口部２３は、円形状以外の形状でも良い。
【符号の説明】
【００８１】
１  顕微鏡システム
２  顕微鏡用スタンド
３  顕微鏡
４、４Ａ、４Ｂ、４Ｃ  照明装置
５  台座
６  焦点調節柱
７  焦点調節アーム
８  観察物
９  固定部
１０  固定スクリュー
１１  本体鏡筒
１２  接眼レンズ鏡筒
１３  Ｃマウント鏡筒
１４  対物レンズ鏡筒
１５  接眼レンズ部
１６  対物レンズ部
１７  対物レンズ（グリノー式の対物レンズ）
１８  対物レンズ（ガリレオ式の対物レンズ）
１９  取付スクリュー
２０  ホルダ部材
２１  第１光源（リング状照明用光源、付加光源）
２２、２２Ａ、２２Ｂ  第２光源（近垂直照明用光源）
２３  開口部
２４  円環形状の部分
２５  台形形状の部分
２６  取付部分
２７  保持部分
２８  カバー部分
２９  スイッチ
３０  光量調整ダイヤル
３１  電源ケーブル
３２  基板
３３  発光チップ
３４  カバー
３５  観察面
３６  コネクタ（板形状のメス側のコネクタ）
３７  コネクタ（板形状のオス側のコネクタ）
３８  コネクタ（円形状のメス側のコネクタ）
３９  補助対物レンズ部（ホルダ部材）
４０  補助対物レンズ
４１  オス側ネジ
４２  メス側ネジ
４３  枠体部（ホルダ部材）
４４  凸部
４５  凹部
４６  クリップ部（ホルダ部材）
４７  第１クリップ
４８  第２クリップ
４９  ピン
５０  バネ
５１  鍔部
５２  保持部材
５３  砲弾型のＬＥＤ
Ｆ  焦点
Ｈ  水平線
Ｌ１  光軸
Ｌ２  光軸
Ｏ  軸
Ｏ１  中心
Ｔ１  距離
Ｔ２  寸法
Ｔ３  距離
ＷＤ  作動距離
θ１  角度
θ２  角度
【図１】
2017167222.tif 000003
【図２】
2017167222.tif 000004
【図３】
2017167222.tif 000005
【図４】
2017167222.tif 000006
【図５】
2017167222.tif 000007
【図６】
2017167222.tif 000008
【図７】
2017167222.tif 000009
【図８】
2017167222.tif 000010
【図９】
2017167222.tif 000011
【図１０】
2017167222.tif 000012
【図１１】
2017167222.tif 000013